(57)【要約】ビオチン化蛍光ポリマーとビオチン結合タンパク質との複合体および該蛍光ポリマー複合体でコートされた固体支持体が述べられる。この複合体は生物学的認識事象（たとえば、核酸ハイブリダイゼーション反応または酵素誘導ポリペプチド開裂）の検出センサとして使用することができる。この複合体の作製方法ならびに試料中の標的検体の存在および／または量を検出するためのこの複合体の使用方法も述べられる。標的検体は酵素（たとえば、β−セクレターゼ）または核酸（たとえば、１本鎖または２本鎖核酸）であってよい。
2006506643.tif 000002
【特許請求の範囲】
【請求項１】
ビオチン化蛍光ポリマーとビオチン結合タンパク質とを水溶液中で結合させて複合体を形成するステップを含み、該複合体はフリーのビオチン結合部位を有するように構成した、生物学的認識事象を検出するためのセンサの作製方法。
【請求項２】
さらに、ビオチン化蛍光タンパク質をビオチン化蛍光ポリマーおよびビオチン結合タンパク質と結合させるステップを含む、請求項１に記載の方法。
【請求項３】
蛍光タンパク質はフィコエリトリンまたはフィコビリゾームである、請求項２に記載の方法。
【請求項４】
さらに、複合体を固体支持体の表面に配置するステップを含む、請求項１に記載の方法。
【請求項５】
請求項１に記載の方法であって、蛍光ポリマーは以下の一般式
【化１】
2006506643.tif 000010
（式中、ｎは正の整数であり、置換基「Ｒ」は式
【化２】
2006506643.tif 000011
および／または式
【化３】
2006506643.tif 000012
によって表される）によって表される反復単位を含む方法。
【請求項６】
固体支持体は微小球、ナノ粒子またはビーズを含む、請求項４に記載の方法。
【請求項７】
固体支持体の表面はアンモニウム官能基、カルボキシレート官能基、帯電反応基および中性反応基のみからなる群から選択された官能基を含む、請求項４に記載の方法。
【請求項８】
ビオチン結合タンパク質はアビジン、ストレプトアビジンおよびノイトラビジンからなる群から選択される、請求項１に記載の方法。
【請求項９】
さらに、ヌクレオチド配列、ペプチド核酸配列またはポリペプチド配列を含むビオチン化バイオコンジュゲートが水溶液に添加されるステップを含み、該ビオチン化バイオコンジュゲートは複合体に結合する、請求項１に記載の方法。
【請求項１０】
ビオチン化バイオコンジュゲートはポリヌクレオチドまたはペプチド核酸配列を含み、生物学的認識事象は標的検体に対する該ビオチン化バイオコンジュゲートのポリヌクレオチド配列またはペプチド核酸の核酸ハイブリダイゼーションである、請求項９に記載の方法。
【請求項１１】
ビオチン化バイオコンジュゲートはポリペプチド配列と消光剤とを含み、該消光剤は蛍光ポリマーの増幅超消光を行なうことができ、生物学的認識事象はポリペプチド配列の酵素誘導開裂である、請求項９に記載の方法。
【請求項１２】
さらに、消光剤とポリヌクレオチドまたはペプチド核酸配列とを含む第２のバイオコンジュゲートが水溶液に添加されるステップを含み、該消光剤は蛍光ポリマーの増幅超消光を行なうことができ、第２のバイオコンジュゲートのポリヌクレオチドまたはペプチド核酸配列はビオチン化バイオコンジュゲートのポリヌクレオチドまたはペプチド核酸配列に対するハイブリッド形成を行なうことができる、請求項１０に記載の方法。
【請求項１３】
第２のバイオコンジュゲートのポリヌクレオチドまたはペプチド核酸配列はビオチン化バイオコンジュゲートのポリヌクレオチドまたはペプチド核酸配列と相補的である、請求項１２に記載の方法。
【請求項１４】
消光剤は以下の式
【化４】
2006506643.tif 000013
または式
【化５】
2006506643.tif 000014
によって表される構造を有する、請求項１１に記載の方法。
【請求項１５】
消光剤は以下の式
【化６】
2006506643.tif 000015
または式
【化７】
2006506643.tif 000016
によって表される構造を有する、請求項１２に記載の方法。
【請求項１６】
ビオチン化蛍光ポリマーとビオチン結合タンパク質との複合体を含み、該複合体はフリーのビオチン結合部位を有する、生物学的認識事象を検出するためのセンサ。
【請求項１７】
さらに、固体支持体を含み、複合体は該固体支持体の表面に配置されている、請求項１６に記載のセンサ。
【請求項１８】
さらに、ポリヌクレオチド配列、ペプチド核酸配列またはポリペプチド配列を含むビオチン化バイオコンジュゲートを含み、該ビオチン化バイオコンジュゲートは複合体に結合させられている、請求項１６に記載のセンサ。
【請求項１９】
ビオチン化バイオコンジュゲートはポリヌクレオチド配列を含み、生物学的認識事象は標的検体に対するビオチン化バイオコンジュゲートのポリヌクレオチドまたはペプチド核酸配列の核酸ハイブリダイゼーションである、請求項１８に記載のセンサ。
【請求項２０】
ビオチン化バイオコンジュゲートはポリペプチド配列と消光剤とを含み、該消光剤は蛍
光ポリマーの増幅超消光を行なうことができ、生物学的認識事象はポリペプチド配列の酵素誘導開裂である、請求項１８に記載のセンサ。
【請求項２１】
消光剤は以下の式
【化８】
2006506643.tif 000017
または式
【化９】
2006506643.tif 000018
によって表される構造を有する、請求項２０に記載のセンサ。
【請求項２２】
ビオチン結合タンパク質はアビジン、ストレプトアビジンおよびノイトラビジンからなる群から選択される、請求項１６に記載のセンサ。
【請求項２３】
固体支持体は微小球、ナノ粒子またはビーズを含む、請求項１７に記載のセンサ。
【請求項２４】
固体支持体の表面はアンモニウム官能基、カルボキシレート官能基、帯電反応基および中性反応基からなる群から選択されたいずれかの官能基からなる、請求項１７に記載のセンサ。
【請求項２５】
請求項１７に記載のセンサであって、前記複合体はさらに、
連結鎖の第１と第２の位置に結合されたリガンドおよびビオチン成分を含むビオチン化バイオコンジュゲートを含み；
前記リガンドは消光剤成分を含み；
前記消光剤成分は蛍光ポリマーの増幅超消光を行なうことができ；
前記リガンドは生物学的認識事象に関与することができ；そして
前記の第１と第２の位置の間の連結鎖部は生物学的認識事象の発生が固体支持体表面からの前記消光剤の分離とそれに伴う蛍光の増強とを生ずるような長さと柔軟性とを有している
センサ。
【請求項２６】
リガンドはポリペプチド配列を含む、請求項２５に記載のセンサ。
【請求項２７】
第１と第２の位置の間の連結鎖部は化学式
【化１０】
2006506643.tif 000019
（式中、ｎは正の整数である）によって表される反復単位を含む、請求項２５に記載のセンサ。
【請求項２８】
ｎは７０以上８０以下の整数である、請求項２７に記載のセンサ。
【請求項２９】
ｎは７５である、請求項２７に記載のセンサ。
【請求項３０】
連結鎖は完全に延びた状態において少なくとも２５０Åの長さを有する、請求項２５に記載のセンサ。
【請求項３１】
さらに、ビオチン化蛍光タンパク質を含み、該ビオチン化蛍光タンパク質はビオチン化蛍光ポリマーおよびビオチン結合タンパク質と複合体を形成している、請求項１６に記載のセンサ。
【請求項３２】
蛍光タンパク質はフィコエリトリンまたはフィコビリゾームである、請求項３１に記載のセンサ。
【請求項３３】
試料を、
ポリヌクレオチド配列、ペプチド核酸配列またはポリペプチド配列を含むビオチン化バイオコンジュゲート；および
請求項１６に記載のセンサ
と結合させるステップを含む、試料中の標的検体の存在および／または量を検出する方法。
【請求項３４】
請求項３３に記載の方法であって、ビオチン化バイオコンジュゲートがポリヌクレオチドまたはペプチド核酸配列を含む場合、該方法はさらに：
試料を消光剤とポリヌクレオチドまたはペプチド核酸配列とを含む第２のバイオコンジュゲートと結合させるステップを含み；
該消光剤は蛍光ポリマーの増幅超消光を行なうことができ；
第２のバイオコンジュゲートのポリヌクレオチドまたはペプチド核酸配列はビオチン化バイオコンジュゲートのポリヌクレオチドまたはペプチド核酸配列に対するハイブリッド形成を行なうことができ；そして
標的検体はビオチン化バイオコンジュゲートかまたは第２のバイオコンジュゲートのいずれかのポリヌクレオチドまたはペプチド核酸配列に対するハイブリッド形成を行なうことのできるポリヌクレオチド配列を含む
方法。
【請求項３５】
第２のバイオコンジュゲートのポリヌクレオチドまたはペプチド核酸配列はビオチン化バイオコンジュゲートのポリヌクレオチドまたはペプチド核酸配列と相補的である、請求項３４に記載の方法。
【請求項３６】
ビオチン化バイオコンジュゲートはポリペプチド配列を含むと共にさらに消光剤を含み
、ビオチン化バイオコンジュゲートと複合体との結合は蛍光ポリマーの蛍光を消光し、標的検体はポリペプチド配列を開裂させることのできる酵素である、請求項３３に記載の方法。
【請求項３７】
試料を請求項２５に記載のセンサと結合させるステップを含む、試料中の標的検体の存在および／または量を検出する方法。
【請求項３８】
リガンドはポリペプチド配列を含む、請求項３７に記載の方法。
【請求項３９】
標的検体は、芽胞、細胞、細菌またはウイルスからなる群から選択される、請求項３７に記載の方法。
【請求項４０】
請求項２５に記載のセンサと、その表面に配置された多数の標的成分を有する第２の固体支持体を含み、ビオチン化バイオコンジュゲートのリガンドは標的成分と相互作用して消光剤を蛍光体から分離し、これによって蛍光ポリマーの蛍光が増大する、生物学的認識事象を検出するためのセンシングシステム。
【請求項４１】
リガンドはポリペプチド配列を含む、請求項４０に記載のセンシングシステム。
【請求項４２】
第２の固体支持体は微小球、ナノ粒子またはビーズである、請求項４０に記載のセンシングシステム。
【請求項４３】
請求項４０に記載のセンシングシステムを試料と結合させるステップを含み、標的検体はリガンドを認識してそれと相互作用し、標的検体とリガンドとの相互作用は蛍光の減少を生ずる、試料中の標的検体の存在および／または量を検出する方法。
【請求項４４】
リガンドはポリペプチドを含み、生物学的認識事象はリガンドのポリペプチドとポリペプチドを含む標的検体との相互作用を包含する、請求項４３に記載の方法。
【請求項４５】
試料をビオチン化バイオコンジュゲートおよび第２のバイオコンジュゲートと共にインキュベーションし、インキュベーションされた試料にセンサを加えるステップを含む、請求項３４に記載の方法。
【請求項４６】
センサとビオチン化バイオコンジュゲートとはビオチン化バイオコンジュゲートがセンサと複合するようにして結合され、続いて試料がセンサ／ビオチン化バイオコンジュゲート・複合体と共にインキュベーションされ、続いて第２のバイオコンジュゲートがインキュベーションされた試料に加えられる、請求項３４に記載の方法。
【請求項４７】
請求項４６に記載の方法であって、標的検体のヌクレオチド配列が２本鎖核酸を含む場合、該方法は以下のステップ；
インキュベーションされた試料を第２のバイオコンジュゲートの存在下で試料中の２本鎖核酸が融解するのに十分な温度にまで加熱するステップ；および
２重鎖生成が可能となるまで試料を冷却するステップ
を包含し、試料中に存在する標的検体と第２のバイオコンジュゲートとの間の２重鎖生成は蛍光の増強を生ずる方法。
【請求項４８】
ビオチン化バイオコンジュゲートはペプチド核酸配列を含む、請求項４６に記載の方法。
【請求項４９】
表面のレセプタに対する多数のリガンドを有する細菌芽胞またはウイルスと、細菌芽胞
またはウイルスの表面に配置された蛍光ポリマーまたは蛍光ポリマー複合体と、リガンドに対するレセプタに結合された消光剤を含む多数のバイオコンジュゲートを含み、レセプタとリガンドとは相互作用し、レセプタとリガンドの相互作用は蛍光ポリマーの蛍光の増幅超消光を生ずる、標的生物学的種を検出するためのセンサ。
【請求項５０】
試料を請求項４９に記載のセンサと共にインキュベーションするステップを含み、試料中の標的検体はレセプタを認識してそれと相互作用し、試料中の標的検体とレセプタとの相互作用は蛍光の増強を生ずる、試料中の標的検体の存在および／または量を検出する方法。
【請求項５１】
標的検体は表面のレセプタに対する多数のリガンドを有する細菌芽胞またはウイルスを含む、請求項５０に記載の方法。
【請求項５２】
ビオチン化バイオコンジュゲートはポリヌクレオチドまたはペプチド核酸配列を含むと共にさらに蛍光ポリマーの増幅超消光を行なうことのできる消光剤を含み、ポリヌクレオチド配列はビオチン化バイオコンジュゲートの消光剤とビオチンとの間に位置している、請求項１７に記載のセンサ。
【請求項５３】
試料を請求項５２に記載のセンサと結合させるステップを含み、標的検体はビオチン化バイオコンジュゲートのポリヌクレオチドまたはペプチド核酸配列に対するハイブリッド形成を行うことのできるポリヌクレオチド配列を含み、該ハイブリダイゼーションは固体支持体の表面からの消光剤分離の増加とそれに伴う蛍光の増強とを生ずる、試料中の標的検体の存在および／または量を検出する方法。
【請求項５４】
固体支持体はシリカまたはラテックス微小球を含む、請求項６に記載の方法。
【請求項５５】
固体支持体はシリカまたはラテックス微小球を含む、請求項２３に記載のセンサ。
【請求項５６】
第２の固体支持体の表面はアンモニウム官能基、カルボキシレート官能基、帯電反応基および中性反応基からなる群から選択されたいずれかの官能基を含む、請求項４０に記載のセンシングシステム。
【請求項５７】
第２の固体支持体はシリカまたはラテックス微小球を含む、請求項４２に記載のセンシングシステム。
【発明の詳細な説明】
【技術分野】
【０００１】
本出願は本引証によりその全開示内容を本願明細書に引用したものとする２００２年１１月１４日出願の米国特許出願第６０／４２６，０３４号［Ｕ．Ｓ．Ｐａｔｅｎｔ  Ａｐｐｌｉｃａｔｉｏｎ  Ｓｅｒｉａｌ  Ｎｏ．６０／４２６，０３４］に対する優先権を主張する。
【０００２】
本出願は２００１年５月８日出願の米国特許出願第０９／８５０，０７４号［Ｕ．Ｓ．Ｐａｔｅｎｔ  Ａｐｐｌｉｃａｔｉｏｎ  Ｓｅｒｉａｌ  Ｎｏ．０９／８５０，０７４］および２００３年７月１８日出願の米国特許出願第１０／６２１，３１１号［Ｕ．Ｓ．Ｐａｔｅｎｔ  Ａｐｐｌｉｃａｔｉｏｎ  Ｓｅｒｉａｌ  Ｎｏ．１０／６２１，３１１］に関連している。これらの出願はそれぞれ本引証によりその全開示内容を本願明細書に引用したものとする。
【０００３】
合衆国政府は本発明に関して支払済み実施権を有するとともに、限定された事情のもとで、特許権者に対し国防省高度先進プロジェクト庁（ＤＡＲＰＡ）承認の契約Ｎｏ．ＭＤＡ９７２−００−Ｃ−００６の条項に定める適正な条件で他者に特許使用許諾を与えるよう求める権利を有する。
【０００４】
本発明は一般に分子センサおよび分子間相互作用を検出するための方法に関する。特に、本発明は蛍光ポリマー複合体および該複合体のバイオセンシング用途への使用法に関する。
【背景技術】
【０００５】
固相酵素免疫測定法（つまり、ＥＬＩＳＡ）は広範囲に及ぶタンパク質、抗体、細胞、ウイルス等の存在と生理活性とを検出するために最も広く使用され、受け入れられている技術である。ＥＬＩＳＡとは最初に検体の生体分子が表面固着抗体に結合させられる多段階「サンドイッチ法」である。次いで２次抗体が当該生体分子に結合する。ある場合には、２次抗体に触媒酵素が付着させられ、該触媒酵素は続いて増幅反応を「発現」する。他の場合には、この２次抗体はビオチン化されて第３のタンパク質（たとえばアビジンまたはストレプトアビジン）と結合する。このタンパク質には増幅された比色変化を招来する化学カスケードをつくり出す酵素が付着させられるか、または蛍光標識用の蛍光団が付着させられる。
【０００６】
広範に使用されているにもかかわらず、ＥＬＩＳＡには多くの短所が存在する。たとえば、多段階手順には試薬と発現時間とのいずれについても正確なコントロールが必要とされるため、時間がかかると共に「偽陽性」を生じがちである。さらにまた、吸着された非特異的な試薬を除去するために慎重な洗浄が必要である。
【０００７】
蛍光共鳴エネルギ移動（つまりＦＲＥＴ）法はポリメラーゼ連鎖反応ベースの（ＰＣＴ）遺伝子配列分析およびイムノアッセイのいずれにも使用されてきている。ＦＲＥＴは均質に結合された検体生体分子を使用して、オフ状態で消光される染料の蛍光を活性化する。ＦＲＥＴ法の代表例において、蛍光染料は抗体に連結され（Ｆ−Ａｂ）、この２連子が消光剤と連結された抗原と結合される（Ａｇ−Ｑ）。結合されたこの複合体（Ｆ−Ａｂ：Ａｇ−Ｑ）はエネルギ移動によって消光（つまり非蛍光）される。Ｑと連結されていない同一の検体抗原（Ａｇ）が存在する場合には、Ａｇ−Ｑ２連子は、相対濃度［Ａｇ−Ｑ］／［Ａｇ］によって決定される平衡結合確率によって決定されるように、定量的に置換さ
れる。これによってＦＲＥＴ法は抗原がすでに十分に特徴付けられた定量アッセイに制限され、抗原をＱに連結する化学技法が新たな事例ごとに案出されなければならない。
【０００８】
その他のＦＲＥＴ基質およびアッセイは米国特許第６，２９１，２０１号［Ｕ．Ｓ．Ｐａｔｅｎｔ  Ｎｏ．６，２９１，２０１］ならびに以下の論文に開示されている：  Ａｎｎｅ，  ｅｔ  ａｌ．，「ボツリヌスＢ型神経毒プロテアーゼ活性を測定するためのハイスループット蛍光発生アッセイ［Ｈｉｇｈ  Ｔｈｒｏｕｇｈｐｕｔ  Ｆｌｕｏｒｏｇｅｎｉｃ  Ａｓｓａｙ  ｆｏｒ  Ｄｅｔｅｒｍｉｎａｔｉｏｎ  ｏｆ  Ｂｏｔｕｌｉｎｕｍ  Ｔｙｐｅ  Ｂ  Ｎｅｕｒｏｔｏｘｉｎ  Ｐｒｏｔｅａｓｅ  Ａｃｔｉｖｉｔｙ］」、Ａｎａｌｙｔｉｃａｌ  Ｂｉｏｃｈｅｍｉｓｔｒｙ，  ２９１，  ２５３〜２６１（２００１）；  Ｃｕｍｍｉｎｇｓ，  ｅｔ  ａｌ．，「炭疸菌致死因子プロテアーゼのペプチドベース蛍光共鳴エネルギ移動アッセイ［Ａ  Ｐｅｐｔｉｄｅ  Ｂａｓｅｄ  Ｆｌｕｏｒｅｓｃｅｎｃｅ  Ｒｅｓｏｎａｎｃｅ  Ｅｎｅｒｇｙ  Ｔｒａｎｓｆｅｒ  Ａｓｓａｙ  ｆｏｒ  Ｂａｃｉｌｌｕｓ  Ａｎｔｈｒａｃｉｓ  Ｌｅｔｈａｌ  Ｆａｃｔｏｒ  Ｐｒｏｔｅａｓｅ］」、Ｐｒｏｃ．Ｎａｔｌ．Ａｃａｄ．Ｓｃｉｅ．９９、６６０３〜６６０６（２００２）；およびＭｏｃｋ，ｅｔ  ａｌ．，「炭疸菌致死活性因子急速スクリーニングの進歩［Ｐｒｏｇｒｅｓｓ  ｉｎ  Ｒａｐｉｄ  Ｓｃｒｅｅｎｉｎｇ  ｏｆ  Ｂａｃｉｌｌｕｓ  Ａｎｔｈｒａｃｉｓ  Ｌｅｔｈａｌ  Ａｃｔｉｖｉｔｙ  Ｆａｃｔｏｒ］」、Ｐｒｏｃ．Ｎａｔｌ．Ａｃａｄ．Ｓｃｉｅ．９９、６５２７〜６５２９（２００２）。
【０００９】
分子内消光蛍光体を採用するその他のアッセイは以下の論文に開示されている：  Ｚｈｏｎｇ，ｅｔ  ａｌ．，「大腸菌・リーダーペプチダーゼに関する分子内消光蛍光体の開発［Ｄｅｖｅｌｏｐｍｅｎｔ  ｏｆ  Ｉｎｔｅｒｎａｌｌｙ  Ｑｕｅｎｃｈｅｄ  Ｆｌｕｏｒｅｓｃｅｎｔ  Ｓｕｂｓｔｒａｔｅ  ｆｏｒ  Ｅｓｃｈｅｒｉｃｈｉａ  Ｃｏｌｉ  Ｌｅａｄｅｒ  Ｐｅｐｔｉｄａｓｅ］」、Ａｎａｌｙｔｉｃａｌ  Ｂｉｏｃｈｅｍｉｓｔｒｙ  ２５５、６６〜７３（１９９８）；  Ｒｏｓｓｅ，ｅｔ  ａｌ．，「組合わせペプチドライブラリを使用した新規プロテアーゼ基質の急速識別［Ｒａｐｉｄ  Ｉｄｅｎｔｉｆｉｃａｔｉｏｎ  ｏｆ  Ｓｕｂｓｔｒａｔｅｓ  ｆｏｒ  Ｎｏｖｅｌ  Ｐｒｏｔｅａｓｅ  Ｕｓｉｎｇ  ａ  Ｃｏｍｂｉｎａｔｏｒｉａｌ  Ｐｅｐｔｉｄｅ  Ｌｉｂｒａｒｙ］」、Ｊ．Ｃｏｍｂ．Ｃｈｅｍ．、２、４６１〜４６６（２０００）；ならびにＴｈｏｍｐｓｏｎ，ｅｔ  ａｌ．，「カルパインおよびその他のプロテアーゼの活性を測定するためのＢＯＤＩＰＹ蛍光マイクロプレートアッセイ［Ａ  ＢＯＤＩＰＹ  Ｆｌｕｏｒｅｃｅｎｔ  Ｍｉｃｒｏｐｌａｔｅ  Ａｓｓａｙ  ｆｏｒ  Ｍｅａｓｕｒｉｎｇ  Ａｃｔｉｖｉｔｙ  ｏｆ  Ｃａｌｐａｉｎｓ  ａｎｄ  Ｏｔｈｅｒ  Ｐｒｏｔｅａｓｅｓ］」、Ａｎａｌｙｔｉｃａｌ  Ｂｉｏｃｈｅｍｉｓｔｒｙ、２７９、１７０〜１７８（２０００）。蛍光偏光の変化が測定されて、検体量の定量に使用されるアッセイも開発されてきた。以下参照。たとえば、Ｌｅｖｉｎｅ，ｅｔ  ａｌ．，「蛍光偏光を使用するプロテアーゼ比活性の測定［Ｍｅａｓｕｒｅｍｅｎｔ  ｏｆ  Ｓｐｅｃｉｆｉｃ  Ｐｒｏｔｅａｓｅ  Ａｃｔｉｖｉｔｙ  Ｕｔｉｌｉｚｉｎｇ  Ｆｌｕｏｒｅｓｃｅｎｃｅ  Ｐｏｌａｒｉｚａｔｉｏｎ］」、Ａｎａｌｙｔｉｃａｌ  Ｂｉｏｃｈｅｍｉｓｔｒｙ  ２４７、８３〜８８（１９９７）。以下も参照のこと。Ｓｃｈａｄｅ，ｅｔ  ａｌ．，「蛍光偏光を使用するプロテアーゼアッセイのためのＢＯＤＩＰＹ−α−カゼイン、ｐＨ非依存タンパク基質［ＢＯＤＩＰＹ−α−Ｃａｓｅｉｎ，  ａ  ｐＨ−Ｉｎｄｅｐｅｎｄｅｎｔ  Ｐｒｏｔｅｉｎ  Ｓｕｂｓｔｒａｔｅ  ｆｏｒ  Ｐｒｏｔｅａｓｅ  Ａｓｓａｓｙｓ  Ｕｓｉｎｇ  Ｆｌｕｏｒｅｓｃｅｎｃｅ  Ｐｏｌａｒｉｚａｔｉｏｎ］」、Ａｎａｌｙｔｉｃａｌ  Ｂｉｏｃｈｅｍｉｓｔｒｙ  ２４３、１〜７（１９９６）。
【発明の開示】
【発明が解決しようとする課題】
【００１０】
しかしながら、生物学的関連分子を急速かつ正確に検出し、高感度で定量する必要性は
なお存在している。
【課題を解決するための手段】
【００１１】
本発明の第１の局面により、生物学的認識事象を検出するためのセンサ作製方法が提供される。この方法はビオチン化蛍光ポリマーとビオチン結合タンパク質とを水溶液中で結合させて、フリーのビオチン結合部位を有する複合体を形成するステップを含む。ビオチン化蛍光タンパク質（たとえばフィコエリトリンまたはフィコビリゾーム）がビオチン化蛍光ポリマーおよびビオチン結合タンパク質に結合させられてよい。この複合体は固体支持体（たとえば微小球、ナノ粒子またはビーズ）の表面に配置されてよい。この固体支持体はシリカまたはラテックス微小球であってよい。この固体支持体の表面はアンモニウム官能基を含んでいてよい。ビオチン結合タンパク質はアビジン、ストレプトアビジンおよびノイトラビジンからなる群から選択されてよい。
【００１２】
前記の方法はさらに、ポリヌクレオチド配列、ペプチド核酸配列またはポリペプチド配列を含むビオチン化バイオコンジュゲートを前記溶液に添加するステップを含んでいてよく、この場合、ビオチン化バイオコンジュゲートは前記複合体のフリーのビオチン結合部位に結合する。１実施形態において、前記のビオチン化バイオコンジュゲートはポリヌクレオチドまたはペプチド核酸配列を含み、生物学的認識事象は標的検体に対するビオチン化バイオコンジュゲートのポリヌクレオチドまたはペプチド核酸配列の核酸ハイブリダイゼーションである。この実施形態による方法は消光剤とポリヌクレオチドまたはペプチド核酸配列とを含む第２のバイオコンジュゲートを前記溶液に添加するプロセスも含むことができ、この場合、消光剤は蛍光ポリマーの増幅超消光を行なうことができ、第２のバイオコンジュゲートのポリヌクレオチドまたはペプチド核酸配列はビオチン化バイオコンジュゲートのポリヌクレオチドまたはペプチド核酸配列に対するハイブリッド形成を行なうことができる。第２のバイオコンジュゲートのポリヌクレオチドまたはペプチド核酸配列はビオチン化バイオコンジュゲートのポリヌクレオチドまたはペプチド核酸配列と相補的であってよい。
【００１３】
代替の実施形態において、ビオチン化バイオコンジュゲートはポリペプチド配列と蛍光ポリマーの増幅超消光を行なうことのできる消光剤とを含み、生物学的認識事象はポリペプチド配列の酵素誘導開裂である。
【００１４】
本発明の第２の局面により、ビオチン化蛍光ポリマーとビオチン結合タンパク質との複合体からなり、該複合体はフリーのビオチン結合部位を有する、生物学的認識事象を検出するためのセンサが提供される。この複合体は固体支持体（たとえば微小球、ナノ粒子またはビーズ）の表面に配置されていてよい。この固体支持体はシリカまたはラテックス微小球であってよい。ポリヌクレオチド配列、ペプチド核酸配列またはポリペプチド配列を含むビオチン化バイオコンジュゲートが前記複合体に結合させられてよい。たとえば、ビオチン化バイオコンジュゲートはポリヌクレオチドまたはペプチド核酸配列を含み、生物学的認識事象は標的検体に対するビオチン化バイオコンジュゲートのポリヌクレオチドまたはペプチド核酸配列の核酸ハイブリダイゼーションであってよい。あるいは、ビオチン化バイオコンジュゲートはポリペプチド配列と消光剤とを含み、消光剤は蛍光ポリマーの増幅超消光を行なうことができ、生物学的認識事象はポリペプチド配列の酵素誘導開裂であってよい。ビオチン結合タンパク質はアビジン、ストレプトアビジンまたはノイトラビジンであってよい。固体支持体の表面はアンモニウム官能基からなっていてよい。センサはまた、ビオチン化蛍光ポリマーおよびビオチン結合タンパク質との複合体を形成するビオチン化蛍光タンパク質（たとえばフィコエリトリンまたはフィコビリゾーム）を含んでいてよい。
【００１５】
また、固体支持体表面に配置された、ビオチン化蛍光ポリマー、ビオチン結合タンパク
質およびビオチン化バイオコンジュゲートの複合体からなり、ビオチン化バイオコンジュゲートはポリヌクレオチドまたはペプチド核酸配列を含むと共にさらに蛍光ポリマーの増幅超消光を行なうことのできる消光剤を含んでいるセンサも提供される。この実施形態において、ポリヌクレオチド配列はビオチン化バイオコンジュゲート上で消光剤とビオチンとの間に配置される。試料を（たとえば溶液中で）センサと結合させるステップを含む、前記センサを使用して試料中の標的検体の存在および／または量を検出する方法も提供される。この実施形態において、標的検体はビオチン化バイオコンジュゲートのポリヌクレオチドまたはペプチド核酸配列に対するハイブリッド形成を行なうことのできるポリヌクレオチド配列を含み、標的検体とビオチン化バイオコンジュゲートとのハイブリダイゼーションは固体支持体表面からの消光剤分離の増加とそれに伴う蛍光の増強とを生ずる。
【００１６】
更なる実施形態において、固体支持体表面に配置された蛍光ポリマー複合体からなる上述したセンサはさらに連結鎖の第１と第２の位置に結合されたリガンドおよびビオチン成分からなるビオチン化バイオコンジュゲートを含むことができ、この場合、リガンドは蛍光ポリマーの増幅超消光を行なうことのできる消光剤成分からなると共に生物学的認識事象に関与することができる。この実施形態において、第１と第２の位置の間の連結鎖部は生物学的認識事象の発生が固体支持体表面からの消光剤の分離とそれに伴う蛍光の増強とを生ずるような長さと柔軟性とを有している。リガンドはポリペプチド配列からなっていてよい。第１と第２の位置の間の連結鎖部は化学式
【００１７】
【化１】
2006506643.tif 000003
【００１８】
（式中、ｎは正の整数である）によって表される繰返し単位を含んでいてよい。上述したセンサを使用して試料中の標的検体の存在および／または量を検出する方法も提供される。標的検体は芽胞、細胞、細菌またはウイルスであってよい。また、上述したセンサとその表面に配置された多数の標的成分を有する第２の固体支持体とを含む、生物学的認識事象を検出するためのセンシングシステムも提供され、この場合、リガンドは標的成分と相互作用して消光剤を蛍光体から分離し、これによって蛍光ポリマーの蛍光が増大する。この第２の固体支持体は微小球（たとえばシリカまたはラテックス微小球）、ナノ粒子またはビーズであってよい。さらにまた、センシングシステムを試料と結合させるステップを含み、標的検体がリガンドを認識してそれと相互作用し、標的検体とリガンドとの相互作用が蛍光の減少を生ずる、試料中の標的検体の存在および／または量を検出する方法も提供される。リガンドはポリペプチドを含み、生物学的認識事象はリガンドのポリペプチドとポリペプチドを含む標的検体との相互作用であってよい。
【００１９】
本発明の第３の局面により、試料をヌクレオチド配列、ペプチド核酸配列またはポリペプチド配列を含むビオチン化バイオコンジュゲートおよび上述した蛍光ポリマー複合体からなるセンサと結合させるステップを含む、試料中の標的検体の存在および／または量を検出する方法が提供される。ビオチン化バイオコンジュゲートがポリヌクレオチドまたはペプチド核酸配列を含む場合には、この方法はさらに試料を消光剤とポリヌクレオチドまたはペプチド核酸配列とを含む第２のバイオコンジュゲートと結合させるプロセスを含むことができ、この場合、消光剤は蛍光ポリマーの増幅超消光を行なうことができ、第２のバイオコンジュゲートのポリヌクレオチドまたはペプチド核酸配列はビオチン化バイオコンジュゲートのポリヌクレオチドまたはペプチド核酸配列に対するハイブリッド形成を行
なうことができる。この実施形態において、標的検体はビオチン化バイオコンジュゲートかまたは第２のバイオコンジュゲートのいずれかのポリヌクレオチドまたはペプチド核酸配列に対するハイブリッド形成を行なうことのできるポリヌクレオチド配列を含む。たとえば、第２のバイオコンジュゲートのポリヌクレオチドまたはペプチド核酸配列はビオチン化バイオコンジュゲートのポリヌクレオチドまたはペプチド核酸配列と相補的であってよい。更なる実施形態において、センサとビオチン化バイオコンジュゲートとはビオチン化バイオコンジュゲートがセンサと複合するようにして結合され、試料は続いてセンサ／ビオチン化バイオコンジュゲート・複合体と共にインキュベーションされ、続いて第２のバイオコンジュゲートがインキュベーションされた試料に加えられる。代替の実施形態において、標的検体のヌクレオチド配列は２本鎖核酸を含んでいてよい。この代替の実施形態において、方法はさらに、インキュベーションされた試料を第２のバイオコンジュゲートの存在下で試料中の２本鎖核酸が融解するのに十分な温度にまで加熱するステップと、２重鎖生成が可能となるまで試料を冷却するステップとを含む。試料中に存在する標的検体と第２のバイオコンジュゲートとの間の２重鎖生成は蛍光の増強を生ずる。あるいは、ビオチン化バイオコンジュゲートはポリペプチド配列と消光剤とを含み、標的検体はポリペプチド配列を開裂させることのできる酵素（たとえば、β−セクレターゼ）であってよい。
【００２０】
本発明の第４の局面により、表面のレセプターに対する多数のリガンドを有する細菌芽胞またはウイルスと、細菌芽胞またはウイルスの表面に配置された蛍光ポリマーまたは蛍光ポリマー複合体と、リガンドに対するレセプターに結合された消光剤を含む多数のバイオコンジュゲートとを含み、レセプターとリガンドとは相互作用し、レセプターとリガンドの相互作用が蛍光ポリマーの蛍光の増幅超消光を生ずる、標的生物学的種を検出するためのセンサが提供される。また、試料を上述したセンサと共にインキュベーションし、標的検体はレセプターを認識してそれと相互作用し、標的検体とレセプターとの相互作用が蛍光の増強を生ずる、試料中の標的検体の存在および／または量を検出する方法も提供される。標的検体は表面のレセプターに対する多数のリガンドを有する細菌芽胞またはウイルスであってよい。
【００２１】
本発明は添付図面を参照してよりよく理解することができる。
【発明を実施するための最良の形態】
【００２２】
詳細な説明
蛍光ポリマー（Ｐ）と会合してそれを消光する消光剤（Ｑ）と連結（Ｔ）した、標的生物学的分子のリガンド（Ｌ）からなるバイオコンジュゲートは米国特許出願第０９／８５０，０７４号［Ｕ．Ｓ．Ｐａｔｅｎｔ  Ａｐｐｌｉｃａｔｉｏｎ  Ｎｏ．０９／８５０，０７４］に開示されており、同出願は本引証によりその全開示内容を本願明細書に引用したものとする。これらのバイオコンジュゲート（「ＱＴＬバイオコンジュゲート」と称される）はたとえば電子移動またはエネルギ移動消光による蛍光高分子電解質の超消光を利用する。蛍光ポリマー（Ｐ）はＱＴＬバイオコンジュゲートとの間で、通例、蛍光ポリマーのそれとは反対の電荷を有した会合複合体を形成することができる。このＱＴＬバイオコンジュゲートは特定の生体分子に対して特異的なリガンド（Ｌ）と共有連結鎖によって連結された消光剤（Ｑ）を含んでいる。ＱＴＬバイオコンジュゲートのリガンドと生体分子との会合は蛍光ポリマーからＱＴＬバイオコンジュゲートを分離させるかまたはその消光を容易に検出し得るようにして変化させ、こうして、蛍光の変化によって生体分子のセンシングを可能とする。このようにして生体分子は非常に低い濃度で検出可能である。
【００２３】
また、支持体たとえばラテックスまたはシリカビーズまたはナノ粒子に蛍光ポリマーをコートすることにより超消光の増強と、マクロ分子たとえばタンパク質または核酸との非特異的な相互作用による付随的な蛍光減少変化とがもたらされることも明らかにされてい
る。結果として、蛍光ポリマーと同一粒子に同配置されたレセプターとを使用し、ＱＴＬと蛍光ポリマーとの相互作用がＱＴＬコンジュゲートのＬ部と特異レセプターとの会合によって媒介されるようにするアッセイが考案されている。このタイプのアッセイは２００２年３月８日に提出された米国特許出願第１０／０９８，３８７号［Ｕ．Ｓ．Ｐａｔｅｎｔ  Ａｐｐｌｉｃａｔｉｏｎ  Ｓｅｒｉａｌ  Ｎｏ．１０／０９８，３８７］に開示されており、同出願は本引証によりその全開示内容を本願明細書に引用したものとする。これらのアッセイは典型的には、検体が表面会合されたレセプターによって認識される配列Ｌのみからなるかまたはそれを含んでいる競合法である。したがって、Ｌとレセプターとの結合はポリマーまたはポリマー集合からの蛍光の変化をほとんど生じないかまたはまったく生じない。他方、レセプターとの会合によるＱＴＬの結合は蛍光の消光を結果として生じる。
１．溶液中および支持フォーマットでのセンシング用のプレフォームされたポリマー−タンパク質・複合体
前述したように、ＱＴＬ−ポリマー超消光アッセイは支持体たとえばラテックスまたはシリカビーズまたはナノ粒子上に同配置される蛍光ポリマーたとえば高分子アニオンポリフェニレンエチニレン（１）
【００２４】
【化２】
2006506643.tif 000004
【００２５】
またはビオチン化ポリフェニレンエチニレン（２）
【００２６】
【化３】
2006506643.tif 000005
【００２７】
とレセプターとによって構成されている。一般にレセプターは抗体、タンパク質、オリゴヌクレオチドまたはその他のリガンドであってよい。レセプターおよび／またはポリマーはビオチン−アビジン会合によって支持体に固着させることができる。ビオチン結合タンパク質（アビジン、ノイトラビジンまたはストレプトアビジン）の１つはポリマーまたはレセプターの付加前に支持体に共有結合させることができる。
【００２８】
本発明により、ビオチン化蛍光ポリマー（たとえば、ポリマー２）とビオチン結合タンパク質との溶液中における当初複合化からなる、同配置される蛍光ポリマーとアクセプタとに代わる手段が提供される。ポリマー２はいくつかの有効なビオチンを含むが、これらのタンパク質の各々の４つのビオチン結合部位の１つもしくはせいぜい２つとしか結合し得ない。これは一部、ＰＰＥポリマーの大きなセグメントの「剛性ロッド」性に帰着される。
【００２９】
ただし、水溶液中におけるビオチン結合タンパク質たとえばノイトラビジンへのビオチン化蛍光ポリマーたとえばポリマー２の付加はタンパク質によるポリマーの架橋を生ずる。ポリマー２については、この架橋はポリマー蛍光の適度な増強と、光の散乱によって示されるように集合規模の有意な増大とを伴う。こうして生じたビオチン化蛍光ポリマーとビオチン結合タンパク質との集合は、ビオチン結合タンパク質とポリマーとの比ならびに付加の正確な配列に応じ、特異なビオチン化レセプターたとえば抗体、タンパク質、オリゴヌクレオチドまたはペプチドを固定するのに使用し得る適度な数のフリーのビオチン結合部位を含むことができる。ビオチン機能化レセプターが（レセプターの一部またはレセプターＱＴＬ・複合体として）消光剤を含んでいれば、ポリマー蛍光の効果的な消光が生ずる。
【００３０】
ビオチン結合タンパク質／ビオチン化蛍光ポリマー・集合は固体支持体にコートすることができる。たとえば、ノイトラビジン／ポリマー２・集合（つまり、１ノイトラビジン：１５ポリマー反復単位）は第４アンモニウム基で機能化されたラテックス微小球にコートされた。こうして生じた微小球は高度蛍光性を生じた。この蛍光は特にビオチン−消光剤・コンジュゲートの付加によって消光することができた。対照的に、ビオチンを包含しない消光剤の付加は微弱な非特異的な消光を生じた。消光は、同じ組成物溶液相ノイトラビジン：ポリマー２集合について観察されたものよりもわずかに増強された。
【００３１】
かくてプレフォームされたポリマー−ビオチン結合タンパク質・複合体は溶液中または支持フォーマットにおけるセンシング用途の基礎を提供する。いずれの「プラットフォーム」においても複合体は一定の利点を供する。第１に、レセプターとポリマーとの近接性が保証される。第２に、この集合体は試薬たとえばタンパク質、小さな有機分子および無機イオンとの非特異的な相互作用を生じにくい。これに加えてさらに、アッセイの広範なチューニングも可能である。たとえば、１つまたは複数の以下のパラメータを変更することが可能である：ビオチン結合タンパク質とビオチン化ポリマーとの比、ポリマー上のビオチン密度、付加の配列または、使用される特異的なビオチン結合タンパク質。こうしてアッセイを特定の用途向けに適応させることが可能である。さらに、複合体の総電荷をポリマー上の帯電側基の変更またはビオチン結合タンパク質の変更によって調整することもできる。こうして複合体を選択して、他のタンパク質との非特異的結合、他の生体分子（たとえばＤＮＡまたはＰＮＡ）との非特異的結合または、帯電または中性表面との非特異的結合を高めまたは除去することができる。
２．蛍光ポリマー超消光をベースとした１本鎖および２重鎖ＤＮＡのアッセイ
蛍光高分子電解質を使用したセンシングはオリゴヌクレオチド−オリゴヌクレオチド認識に適用することができる。たとえば、最近、ＱＴＬをベースとした１本鎖ＤＮＡのセンシングが報告されている［Ｋｕｓｈｏｎ，ｅｔ  ａｌ．，ラングミューア［Ｌａｎｇｍｕｉｒ］、１８、７２４５〜７２４９（２００２）］。この最も単純なケースにおいて、１
本鎖「標的」ＤＮＡ配列を相補「捕獲」１本鎖と会合させ、ポリマーまたはポリマー集合の蛍光を変化させる（消光または増強させる）ことができる。１つのアプローチは「標的」配列と相補的な、ＤＮＡのビオチン化捕獲鎖の使用を含んでいる。未知量の標的検体の存在下で既知量の消光剤標識された標的（ＤＮＡ−ＱＴＬ）を使用する競合法が開発された。これらのアッセイにおいて、ビオチン化捕獲鎖は蛍光高分子電解質とビオチン結合タンパク質たとえばアビジン、ストレプトアビジンまたはノイトラビジンとからなるビーズ支持体と会合させられた。ビオチン化捕獲鎖とビーズとの（ビオチン−アビジン会合による）会合はポリマー蛍光の変化をほとんど生じないかまたはまったく生じなかった。同様に、ビオチン化捕獲鎖標的検体２重鎖とビーズとの会合も蛍光をほとんど変化させないかまたはまったく変化させなかった。ただし、ビオチン化捕獲鎖ＤＮＡ−ＱＴＬ２重鎖とビーズまたは前もって結合されたビオチン化捕獲鎖を有したＤＮＡ−ＱＴＬとの会合はポリマー蛍光の強度の消光を生じた。
【００３２】
ビーズと予備会合されたビオチン化捕獲鎖をめぐるＤＮＡ−ＱＴＬと標的検体との間の直接の競合は、ＤＮＡ−ＱＴＬと捕獲鎖との会合が（非標識化検体と比較して）より急速（速度論的）であることから、アッセイ感度を低下させた。ただし、ＤＮＡ−ＱＴＬの付加を伴う、検体とビーズ結合捕獲鎖との段階的な会合は感度の良い、ただし単純な定量アッセイをもたらした。感度の良い類似のアッセイは、ビオチン化捕獲鎖、ＤＮＡ−ＱＴＬおよび検体１本鎖ＤＮＡを予備インキュベーションし、次いでこの混合物を蛍光ポリマーコートされたビーズに曝露させることによっても得られた。後に挙げたアッセイのいずれについても、蛍光レベルは１本鎖検体ＤＮＡの濃度の高まりと共に上昇する。
【００３３】
上記の一連のアッセイは１本鎖ＤＮＡを使用し、標的検体と同じ塩基配列を含むＤＮＡ−ＱＴＬの使用を含んでいる。図１は代替のアッセイフォーマットを示したものである。このアッセイフォーマットは標的検体と相補的な塩基配列を有するＤＮＡ−ＱＴＬの使用を必要とする。
【００３４】
図１に示したように、エネルギ移動または電子移動消光剤はＤＮＡ−ＱＴＬをつくり出すために鎖の一端に共有結合させることができる。さらにまた図１に示したように、標的検体と同じ配列を有するビオチン化鎖とこの鎖の一端のビオチンとを捕獲鎖として使用することができる。ビオチン化捕獲鎖と蛍光ポリマーコートされたビーズとの会合はポリマーから生ずる蛍光のレベルをほとんど変化させないかまたはまったく変化させない。ただし、ＤＮＡ−ＱＴＬとビーズ結合捕獲鎖との間の２重鎖形成はポリマーとＤＮＡ−ＱＴＬ上の消光剤との間の密な会合によってポリマー蛍光の消光を生ずる。
【００３５】
１本鎖検体ＤＮＡ用のアッセイを実現するため、検体（未知レベル）とＤＮＡ−ＱＴＬとをビオチン化標的を含むビーズの懸濁液と混合することができる。標的検体とＤＮＡ−ＱＴＬとの間の２重鎖形成は「遊離」ＤＮＡ−ＱＴＬを除去し、これによって、標的の欠如下で発生すると考えられるポリマーの消光を妨げる。こうして、１本鎖検体用の単純かつ均一な定量アッセイを提供することができる。
【００３６】
上述したアッセイ材料は２重鎖として存在する標的検体のセンシング用の単純かつ均一なフォーマットも提供することができる。たとえば、検体と、検体と相補的な塩基配列を有する２重鎖ＤＮＡ−ＱＴＬとを含む試料が、同配置された蛍光ポリマーとビオチン化捕獲試薬とからなる固体支持体（たとえば、ビーズの懸濁液）に加えられ、続いて、２重鎖の「融解」を生ずるのに十分な温度に加熱され得る。これは、混合物を周囲温度に戻した後、ＤＮＡ−ＱＴＬと１本鎖検体とのペアリングと、試料中の標的鎖のレベルに比例した蛍光消光の減衰とを生ずる。
【００３７】
先に報告され、以上に説明したものと類似のアッセイはペプチド核酸のビオチン化捕獲
鎖（つまり、ビオチン化ＰＮＡ）を使用して構成することができる。ビオチン化ＰＮＡは標的検体ＤＮＡの相補鎖またはＤＮＡ−ＱＴＬとのペアリングにおいて類似の選択性を示すが、より強い２重鎖をもたらし、こうして１本鎖標的検体用のアッセイにおいてより高い感度さえも供することができる。捕獲鎖としてのビオチン化ＰＮＡの利点は、より強力なＤＮＡ−ＰＮＡ会合が鎖の侵襲によって２重鎖化された標的用の周囲温度均一アッセイの基礎を供することである。
【００３８】
更に代替のＤＮＡ検出方法はビオチン化ＤＮＡ−ＱＴＬの使用を含んでいる。ビオチンとコンジュゲート中の消光剤とは両側末端に配置される。ビオチン結合タンパク質を担持するポリマーコートされた微小球に曝露されると、ビオチン−ＤＮＡ−ＱＴＬはビオチンを通じて表面に付着する。さらに、使用される消光剤の一般的な疎水性により、消光剤標識された末端は表面に向かって折り返され、消光剤が表面上のポリマーを消光することが可能になる。ただし、標的鎖が存在する場合には、ビオチン−ＤＮＡ−ＱＴＬはＤＮＡ２重鎖中にハイブリダイゼーションされる。ＤＮＡ２重鎖は１本鎖ＤＮＡに比較して相対的に剛的であることが知られている。したがって、２重鎖の形成は、ビオチン−ＤＮＡ−ＱＴＬが標的に対してハイブリダイゼーションされたＤＮＡで表面に向かって容易に折り返されることができないため、消光剤と表面との間の間隔の増大を生じ得る。結果として、消光レベルは減少させられ得る。
３．長い柔軟な連結鎖（たとえば、親水性高分子連結鎖）の使用をベースとしたセンシングフォーマット
上述したように、蛍光ポリマーまたはポリマー集合の消光／非消光をベースとしたバイオセンシングに使用されるＱＴＬコンジュゲートは一般に３つの成分：消光剤（Ｑ）；連結鎖（Ｔ）；およびリガンドまたはレセプター（Ｌ）からなっている。エネルギ移動によるものであろうと電子移動によるものであろうと超消光の程度は蛍光ポリマーまたはポリマー集合に対する消光剤の近接性に依存している。検出される生物学的認識事象の感知程度は一般に、認識事象と、消光剤とポリマー集合とを隔てる間隔の変化との組合わせに依存している。
【００３９】
ポリマー／ＱＴＬ超消光相互作用をベースとしたバイオセンシングへの当初アプローチにおいて、（溶液中においてかまたは支持体たとえば微小球またはナノ粒子に固定された）ポリマーは非特異的相互作用（一般にクーロン引力と疎水性相互作用との組合わせ）によってＱＴＬと会合する。蛍光「消光」アッセイにおいて、生物学的認識事象中に生ずるＱＴＬとポリマーとの会合は蛍光の消光を生ずる。代わって、ＱＴＬと特異的レセプターとの会合は予備会合されたポリマーとＱＴＬとの分離を生じ、蛍光「発光」センシングをもたらす。このアッセイプラットフォームは、標的検体と合成ＱＴＬとに応じ、直接アッセイならびに競合アッセイのいずれにも使用することができる。
【００４０】
代替のセンシングプラットフォームにおいて、蛍光ポリマーとレセプター（つまり、ＱＴＬバイオコンジュゲートのリガンド「Ｌ」に対するレセプター）との双方は固体支持体たとえばミクロンサイズまたはサブミクロンサイズのラテックスビーズ、シリカ微小球、ナノ粒子または表面に同配置される。このケースにおいて、ＱＴＬとレセプターとの特異的な会合は蛍光の消光に至り、他方、ＱＴＬの解放は蛍光の発光に至る。前述したセンシングアプローチのいずれにおいても、ＱＴＬコンジュゲートは一般に、ＱＴＬがポリマーまたはポリマー集合と会合させられる場合に、蛍光ポリマーと、ＱＴＬの消光剤およびリガンド部の双方との至近性が実現されるように最小の長さの連結鎖を使用する。
【００４１】
代替のアプローチは長い柔軟な連結鎖を有するＱＴＬコンジュゲートを使用する。図２Ａ〜２Ｃに示したように、消光剤を担持する認識分子からビオチン「コネクタ」を切離す「柔軟な」連結鎖の構築はビオチン結合タンパク質と蛍光ポリマーとからなるビーズ「プラットフォーム」と会合し得るＱＴＬをもたらす。
【００４２】
図２Ａ〜２Ｃに示したように、蛍光ポリマーでコートされ、有効なアビジンまたはストレプトアビジンレセプター部位を有する固体支持体（ビーズで示されている）は長い柔軟な連結鎖を有するビオチン化消光剤と複合することができる。結果として、蛍光は消光される（図２Ｂ）。ただし、認識分子を結合する検体の存在は消光剤を蛍光支持体から引き離すことができ、これによって蛍光の増強が生ずる（図２Ｃ）。
【００４３】
柔軟な連結鎖はさまざまな構造をとっていてよい。好適な１実施形態において、柔軟な連結鎖は、図２Ａに示したように、ポリ（エチレングリコール）（つまり、ＰＥＧ）直鎖からなっている。一例において、ビオチンは約７５反復単位を有するＰＥＧ連結鎖によってレセプターから切離されている。もしこの鎖が完全に延びた形をとれば、ビオチンコネクタとレセプターとの間の間隔は約２７８オングストロームとなろう。
【００４４】
水性溶媒中でＰＥＧ鎖はある程度折り畳まれることとなり、折り畳まれたまたはコイル化された状態で、消光剤標識されたレセプターはビーズに固定された蛍光ポリマーと相対的に密に接近させられることとなる。これはＱＴＬのビオチンが会合させられるビオチン結合タンパク質部位から（ビーズの表面で）相対的に引き離されていてよいポリマー域からの蛍光の消光を生ずる。鎖の末端の消光剤レセプターと表面上の蛍光ポリマーとの間の相互作用の程度は、表面と消光剤レセプターとの電荷の変化、消光剤レセプターの疎水性の変化または懸濁液に付加される試薬によって調整することができる。
【００４５】
柔軟な鎖は、それが表面から完全に延ばされると消光剤標識されたレセプターがポリマーから離れすぎて有意な消光を生じなくなる程度の長さを有しているのが好適である。レセプター消光剤とビーズ表面の蛍光ポリマーとの間の会合は弱いので、大きな検体の付加はレセプター消光剤の引き離しとポリマーの消光範囲外へのＰＥＧの延伸を生じ得る。大きな多価検体については、多数のレセプター消光剤が同一または多数のビーズから引き離されることによりセンシングが増幅されることとなる。したがって、このアッセイフォーマットは相対的に大きな検体たとえば芽胞、細胞、細菌またはウイルスに特に適当している。
４．ＱＴＬバイオセンシングの基礎としての多価抗原ビーズ
本発明の更なる１実施形態において、同じビーズと、上述した長い柔軟な連結鎖を有し、さらに、標的タンパク質検体が存在する場合に異なった相互作用を展開する２つの成分を含むコンジュゲートとを使用して、アッセイを構成することができる。この場合のアッセイは、前記のセクション３に述べた反応を誘起せず、ただしレセプター消光剤集合と、蛍光ポリマーからのそれらの引き離しを生ずることなく、結合することのできる小さなタンパク質検体に特に適している。この場合、成分の１つはビオチン結合タンパク質と上記のセクション３に述べたビオチン−柔軟な連結鎖−レセプター消光剤「ＱＴＬ成分」とを含む、蛍光ポリマーコートされたビーズである。第２の成分は、レセプターを認識する標的抗原の多数のコピーで表面が「装飾」されたポリマービーズまたは微小球（つまり、「多価抗原ビーズ」またはＭＶＡＢ）であってよい。図３は１つのＭＶＡＢを示したものである。
【００４６】
図３に示したように、ビオチン化抗原はビオチン結合タンパク質で機能化されたポリマービーズと複合されて、本発明による多価抗原ビーズを形成することができる。
【００４７】
多価抗原ビーズをビオチン−柔軟な連結鎖−レセプター消光剤を含むビーズの懸濁液に加えるとビーズ表面からの消光剤−レセプターの引き離しによってポリマーからの蛍光の発光が生ずる。続いて標的検体を加えると、レセプターをめぐる競合とＭＶＡＢの置換によって蛍光の消光が生ずる。このアッセイは既知量のＭＶＡＢと未知量の標的タンパク質検体とが蛍光ポリマーからなるビーズの懸濁液に同時に付加される直接競合モードで実施
することができる。蛍光消光のレベルによって検体濃度を直接に測定することが可能である。このアッセイはまた、蛍光ポリマー−レセプター・コートされたビーズを標的検体で、その後にＭＶＡＢで順次処理するかまたはその逆の処理による置換競合アッセイとして実施することもできる。
５．蛍光ポリマーまたはポリマー集合標識された標的によるＱＴＬセンシング
抗原反応部位と化学反応部位との双方からなる反復パターンを表面に有する大きくかつ頑丈な生物学的種たとえば細菌芽胞およびウイルスは代替のポリマー超消光アッセイを供する。図４に概略的に示したように、このタイプの不活化された標的は蛍光ポリマーまたは蛍光ポリマー集合の表面に反応によって共有結合させるかまたはその他の方法で付着させることができる。
【００４８】
図４に示したように、蛍光ポリマーは不活化標的（たとえば、細菌芽胞）と共有結合して、機能化された不活化標的を形成することができる。図４には蛍光芽胞を示してある。付着レベルをコントロールして、標的に対するレセプターの結合部位をアクセスし得るようにしておくことが可能である。
【００４９】
図４に示したように、機能化された不活化標的（つまり、蛍光芽胞）は高度蛍光性を有している。レセプター消光剤・ＱＴＬバイオコンジュゲート（たとえばここでレセプターは抗体、抗体フラグメントまたはその他の結合試薬たとえばペプチドまたはその他の小分子結合剤であってよい）の付加は蛍光標的との結合を生じ、その蛍光の消光をもたらす。図４に示したように、標識された各々の標的はレセプター消光剤・コンジュゲートのいくつかの分子を収容することができる。さらにまた図４に示したように、非標識標的の付加はレセプター結合部位の「希釈」と、蛍光標識された標的からのレセプター消光剤・コンジュゲートの引き離しとを生ずる。結果として、蛍光の増強が観察されることとなる。
【００５０】
上述したアッセイの感度は、標的への蛍光ポリマーのコーティング程度の調節、コンジュゲートの構造と標識化／非標識化標的へのその親和力のチューニングによって調整することが可能である。前述したいくつかのＱＴＬポリマー超消光アッセイで示されたように、実際の競合は、消光剤−結合剤・ＱＴＬと共に標識化標的を予備インキュベーションすることから、ＱＴＬ、標的および標識化標的の直接の混合までに及ぶいくつかの異なったモードで実施することができる。
【００５１】
（溶液中および支持フォーマットでのセンシング用のプレフォームされたポリマー−タンパク質・複合体）
【実施例１】
【００５２】
（溶液中でのセンシング用のポリマー−タンパク質・複合体の作製）
ＱＴＬ溶液センサ（「センサＳＳ」）は、５６．５ｎｍｏｌのアビジン（ビオチン結合タンパク質、ＢＢＰ）と８４８ｎｍｏｌのビオチン化ＰＰＥポリマー（１）とを混合して総容量１１．３ｍＬとし、ＣＲＴで２４時間にわたってインキュベーションして作製された。ポリマーとＢＢＰとはビオチン−アビジン相互作用を通じて互いに結合し、安定した要素を形成する。こうして作製された溶液センサはそれぞれの実験の開始時に緩衝液で適宜希釈された。ポリマー（１）の構造は以下の通りである。
【００５３】
【化４】
2006506643.tif 000006
【実施例２】
【００５４】
（固体−溶液・境界面でのセンシングへのプレフォームされたタンパク質−ポリマー・複合体の適応）
この実施例において、ポリマー−タンパク質・集合は第４アンモニウム基で機能化された、直径０．５５ミクロンのポリスチレン微小球（ＭＳ）（Ｉｎｔｅｒｆａｃｉａｌ  Ｄｙｎａｍｉｃｓ  Ｃｏｒｐｏｒａｔｉｏｎ製）に２段階手順でコートされた。第１段階において、前もって定められた量のポリマー（１）の溶液がノイトラビジン（もう１つのＢＢＰ）の溶液に付加されて、ポリマー反復単位（ＰＲＵｓ）とＢＢＰとの最終的な比が５：１とされる。この溶液は周囲条件下で３０分間にわたってインキュベーションされる。第２段階において、ポリマー／タンパク質・混合物はポリスチレン微小球に付加され、ｐＨ＝７で２時間にわたってインキュベーションされ、次いでダイアフィルトレーションされ、リン酸緩衝生理食塩水に交換される。ポリマーとタンパク質のコーティング密度を定量するため示差蛍光分光分析法が使用された。
【００５５】
ＰＰＥ−Ｂにつき、測定されたポリマーコーティング密度は４．７５×１０6ＰＲＵ／ＭＳ、測定されたタンパク質コーティング密度は９．５×１０5ノイトラビジン／ＭＳである。微小球表面へのポリマー／タンパク質・混合物のコート完了後、蛍光標識されたビオチン誘導体を使用した結合実験から判明したように、球は球当たり約１．３×１０5ビオチン結合部位を有することが確認された。
【００５６】
図５は、ノイトラビジンと蛍光ポリマーの混合物が複合化され、こうして生じた複合物が固体支持体にコートされる上述したセンサ製造の反応スキームを示したものである。上述したように、ポリマー反復単位とノイトラビジンとの比は５：１である。図５に示したように、この複合体は静電相互作用により、アンモニウム基で機能化された微小球の表面
に固着され得る。
【実施例３】
【００５７】
（実施例１で作製されたＱＴＬ溶液センサ（「センサＳＳ」）を使用する酵素活性センシング）
３８４ウェル・プレートのＢＳＥＣ−１（構造は以下に示す通りである）の４００ｎＭアッセイ緩衝液溶液５μＬに、５μＬのアッセイ緩衝液に溶解されたβ−セクレターゼ酵素３０ｎｇが加えられた。ＢＳＥＣ−１は以下のペプチド構造を有している：
（ＱＳＹ７）−Ｔ−Ｅ−Ｅ−Ｉ−Ｓ−Ｅ−Ｖ−Ｎ−Ｌ−Ｄ−Ａ−Ｅ−Ｆ−（Ｋ−ビオチン）−ＯＨ                                    配列番号１
（前記配列中、「ＱＳＹ７」と「ビオチン」とは以下の式によって表される。
【００５８】
【化５】
2006506643.tif 000007
【００５９】
この混合物は３連作製され、３０分間にわたってＣＲＴでインキュベーションされた。対照ウェルはペプチドしか含まず、酵素は含まなかった。インキュベーションの後、上記溶液センサの１００倍の希釈液が各々のウェルに２０μＬずつ加えられた。プレートはマイクロプレート・リーダ内部でシェイクされ、ウェルは、４４０ｎｍでポリマーを励起し、４７５ｎｍカットオフ・フィルタを使用した５３０ｎｍでの発光強度の測定によって検査された。対照ウェルの平均ＲＦＵ値は５，４００±２００、酵素を含む試料ウェルの平均ＲＦＵ値は８，３５０±２００であった。この蛍光の差が酵素活性の測度であった。
【００６０】
以上にあってはＢＳＥＣ−１を開示したが、その他のポリペプチドもβ−セクレターゼ酵素活性のアッセイに使用することが可能である。たとえば、本発明の代替の実施形態において、ＢＳＥＣ−３をβ−セクレターゼ酵素活性のアッセイに使用することができる。ＢＳＥＣ−３は以下に述べるポリペプチド構造を有している。
（ＡＺＯ）−Ｔ−Ｅ−Ｅ−Ｉ−Ｓ−Ｅ−Ｖ−Ｎ−Ｌ−Ｄ−Ａ−Ｅ−Ｆ−（Ｋ−ビオチン）−ＯＨ                                      配列番号２
上記のペプチド構造において、「ＱＳＹ７」と「ビオチン」とは上述したように定義され、「ＡＺＯ」は以下の式によって表される構造を有している。
【００６１】
【化６】
2006506643.tif 000008
【実施例４】
【００６２】
（ＢＢＰ上の付加的なビオチン結合部位を使用し、ポリマー−タンパク質・複合体と複合し得るビオチン−Ｒ−フィコエリトリンを使用するアッセイ）
実施例３のアッセイ性能は上記の実施例１に述べたＱＴＬ溶液センサに少量のビオチン−Ｒ−フィコエリトリン（ＢＲＰＥ）をドープすることによって改善された。このようにして得られる溶液センサ（「センサＹＹ」）は各々の実験の開始時に、「センサＳＳ」のマスタストックをＢＲＰＥで、混合物４０μＬ中に２５０  ｆｍｏｌのＢＲＰＥが含まれるような比で２００倍に希釈した液をインキュベーションすることによって作製された。ＢＳＥＣ−３の３００ｎＭアッセイ緩衝液溶液５μＬに、５μＬのアッセイ緩衝液に溶解されたβ−セクレターゼ酵素３０ｎｇが加えられた。ＢＳＥＣ−３は上述したポリペプチド構造を有している。対照混合物と試料混合物を３０分間にわたってＣＲＴでインキュベーションした後、ドープされた溶液センサ（センサＹＹ）４０μＬが各々のウェルに加えられた。プレートはプレート・リーダ内部で６０秒間にわたってシェイクされ、ウェルの蛍光強度が、４４０ｎｍでポリマーを励起し、５７６ｎｍでの発光強度を４７５ｎｍカットオフ・フィルタを使用して測定することによって検査された。対照ウェルの平均ＲＦＵ値は５，２００±２００、酵素を含む試料ウェルのＲＦＵ値は１４，５００±２００であった。観察されたこの差が酵素活性の測度であった。
【実施例５】
【００６３】
（蛍光ポリマー超消光をベースとした１本鎖および２本鎖ＤＮＡのアッセイ）
以下のデータはＤＮＡ検出に関するＱＴＬアッセイの特異性を証明している。ここで使用されたアプローチはセンシング微小球の表面での相補捕獲鎖をめぐる標的と消光剤標識された標的との競合を含んでいる。
【００６４】
図７はさまざまなオリゴヌクレオチドとオリゴヌクレオチド混合物によるＰＰＥ蛍光の消光を示すグラフである。図７から看取されるように、ＤＮＡ−ＱＴＬと微小球表面との非特異的な相互作用に帰着される最少消光が観察される。対照的に、ＤＮＡ−ＱＴＬ・コンジュゲートと捕獲鎖との特異的な相互作用は非特異的な消光のそれを上回る有意の消光を生じた。使用された捕獲鎖（つまり、ＡＬＦ−捕獲。構造は以下に示す）は炭疽菌致死因子（ＡＬＦ）のコード配列領域に対して相補的な配列を担持するビオチン化ＤＮＡ捕獲鎖であった。
【００６５】
図７は１７マーと２０マーのＤＮＡ−ＱＴＬを使用した結果を示したものである。図７に示したすべての実験は９６ウェル・プレート（ウェル当たり２００ｍＬ  Ｖt）で２５℃にて実施された。各々の場合に、２０ｐｍｏｌのオリゴヌクレオチドまたはオリゴヌクレオチド混合物が加えられた。
【００６６】
図７に挙げられたポリペプチドは以下のように定義される。
ＡＬＦ−捕獲：
５’−ビオチン−ＴＡＡ  ＡＴＡ  ＣＣＡ  ＴＴＡ  ＡＡＡ  ＡＴＧ  ＣＡ−３’   配列番号３
ＡＬＦ−標的：
５’−ＴＧＣ  ＡＴＴ  ＴＴＴ  ＡＡＴ  ＧＧＴ  ＡＴＴ  ＴＡ−３’         
配列番号４
ＤＮＡ−ＱＴＬ（２０マー）：
５’−ＴＧＣ  ＡＴＴ  ＴＴＴ  ＡＡＴ  ＧＧＴ  ＡＴＴ  ＴＡ−ＱＳＹ７−３’   配列番号５
ＤＮＡ−ＱＴＬ（１７マー）：
５’−ＡＴＴ  ＴＴＴ  ＡＡＴ  ＧＧＴ  ＡＴＴ  ＴＡ−ＱＳＹ７−３’    配列番号６
（前記配列中、「ビオチン」と「ＱＳＹ７」とは上記に定義された通りである）。非相補的なＤＮＡオリゴヌクレオチドは図７において「ＮＣ」と表記されている。
【００６７】
図７から看取されるように、ＡＬＦ−捕獲鎖とＤＮＡ−ＱＴＬとの双方の存在は有意な消光増強を生じた。消光の増強はＤＮＡ−ＱＴＬとＡＬＦ−捕獲鎖とのハイブリダイゼーションの結果である。さらに、ビオチン化されたＡＬＦ−捕獲鎖は微小球の表面で蛍光ポリマーおよびビオチン結合タンパク質と複合体を形成する。それゆえ、ＤＮＡ−ＱＴＬとＡＬＦ−捕獲鎖とのハイブリダイゼーションは消光剤を蛍光ポリマーに近接させ、増幅された超消光を生ずる。
【実施例６】
【００６８】
（単一ヌクレオチドＤＮＡ不整合を検出するための支持ポリマー−タンパク質・複合体の使用）
以下の例はセンサ（たとえば実施例２で説明したセンサ）がたとえ単一ヌクレオチドＤＮＡ不整合であっても存在を検出するために使用できることを証明している。この実験で使用されたアプローチはセンシング微小球の表面での相補捕獲鎖をめぐる標的と消光剤標識された標的との競合を含んでいる。
【００６９】
図８は以下に示す構造を有するＰＮＡベースの捕獲鎖（「ＰＮＡ−Ｃａｐ」と称される）で負荷された微小球センサによる不整合分析を示すグラフである。実験は総ウェル容積２００μＬで４０℃にて実施された。
【００７０】
上記の実験で使用された、図８に挙げたポリペプチドは以下のように定義される。
ＡＬＦ標的：
５’−ＴＧＣ  ＡＴＴ  ＴＴＴ  ＡＡＴ  ＧＧＴ  ＡＴＴ  ＴＡ−３’         
配列番号７
Ｇ−Ｔ不整合：
５’−ＴＧＣ  ＡＴＴ  ＴＴＴ  ＧＡＴ  ＧＧＴ  ＡＴＴ  ＴＡ−３’         
配列番号８
Ｔ−Ｔ不整合：
５’−ＴＧＣ  ＡＴＴ  ＴＴＴ  ＴＡＴ  ＧＧＴ  ＡＴＴ  ＴＡ−３’         
配列番号９
Ｃ−Ｔ  不整合：
５’−ＴＧＣ  ＡＴＴ  ＴＴＴ  ＣＡＴ  ＧＧＴ  ＡＴＴ  ＴＡ−３’         
配列番号１０
ダブル不整合：
５’−ＴＧＣ  ＡＴＡ  ＴＴＴ  ＡＡＴ  ＧＧＡ  ＡＴＴ  ＴＡ−３’         
配列番号１１
ＤＮＡ−ＱＴＬ：
５’−ＡＴＴ  ＴＴＴ  ＡＡＴ  ＧＧＴ  ＡＴＴ  ＴＡ−ＱＳＹ７−３’    配列番号１２
ＰＮＡ−捕獲：
ビオチン−ＴＡＡ  ＡＴＡ  ＣＣＡ  ＴＴＡ  ＡＡＡ−Ｌｙｓ−ＮＨ2       配列番号１３
前記配列中、「ビオチン」および「ＱＳＹ７」は上記に定義した通りである。
【００７１】
図８から判明するように、ＡＡダブル不整合標的を除き、すべての標的につき標的量の増加と共に相対蛍光の増強が観察された。ただし、標的量の増加と共に観察された増強蛍光量は完全補体標的については遥かに高いものであった。
【００７２】
固体支持体はバイオアッセイへの使用に適したどんな材料からも作製することができる。この固体支持体はどんなサイズ、形状および形態であってもよい。固体支持体が作製される材料および固体支持体のサイズ、形状および形態は実施されるアッセイの要件に応じて変化させられてよい。典型的な固体支持体は微小球、ナノ粒子およびビーズであるが、ただしそれに制限されるものではない。たとえば、シリカまたはラテックス微小球を固体支持体として使用することが可能である。
【００７３】
固体支持体の表面は官能基からなっていてよい。固体支持体は官能基を含む材料から作製することができ、あるいはまた、そうした基を含まない固体支持体の表面は認知された技法を用いてそうした基を含むように機能化されてもよい。上述したように、固体支持体の表面はアンモニウム官能基からなっていてよい（たとえば、固体支持体の表面はアンモニウム官能基を含むように機能化されてよい）。固体支持体の表面は、ただしこれらに制限されるものではないが、帯電反応基、中性反応基およびカルボキシレート反応基を含むその他の官能基からなっているかまたはそれらの官能基からなるように機能化されてよい。
【００７４】
複合体に使用される蛍光ポリマーは、中性であるか、正または負に帯電しているか、または双性イオンである複合ポリマーであってよい。蛍光ポリマーはまた、Ｊ型凝集挙動を示すペンダント蛍光染料を有する非複合骨格からなる側鎖ポリマーであってもよい。典型的な蛍光ポリマーの構造は以下に示す通りである。
【００７５】
【化７】
2006506643.tif 000009
【００７６】
蛍光を消光するために励起された蛍光ポリマーからの放射エネルギを吸収し得るどんな成分も消光剤として使用することができる。典型的な消光剤は以下の種、つまり中性種、正または負に帯電しているかまたは双性イオン種、非蛍光または蛍光種、有機種、無機種、有機金属種、生物学的種または高分子種、あるいはエネルギもしくは電子移動種であるが、ただしこれらに制限されるものではない。本発明の１実施形態において、消光剤は非蛍光小分子染料たとえば前述したようなＱＳＹ−７またはＡｚｏ染料である。１実施形態において、消光剤は蛍光ポリマーの増幅消光（つまり、超消光）を行なうことができる。更なる１実施形態において、消光剤は蛍光体から吸収した放射エネルギを蛍光として再放出することができる。
【００７７】
蛍光ポリマー複合体はさらにビオチン化蛍光タンパク質を含んでいてよい。ビオチン化蛍光タンパク質はビオチン結合タンパク質のフリーのビオチン結合部位に結合することができる。典型的な蛍光タンパク質はフィコエリトリンおよびフィコビリゾームであるが、ただしこれらに制限されるものではない。たとえば、ビオチン化蛍光タンパク質はビオチン化Ｒ−フィコエリトリン（ＢＲＰＥ）であってよい。蛍光タンパク質が存在する場合に
は、励起された蛍光ポリマーの発色団はそのエネルギを複合体中の蛍光タンパク質分子に移動させることができる。すると、蛍光タンパク質分子はそのエネルギをより効率的に再放出することができる。たとえば、ＢＰＲＥを含む蛍光ポリマー複合体の使用は鮮明な、赤にシフトされた蛍光信号を生ずる。この場合、複合体からの蛍光放出は、消光剤を含むバイオコンジュゲートが複合体と会合すると（たとえば、消光剤を含むビオチン化バイオコンジュゲートが複合体に結合するかあるいはポリヌクレオチドまたはペプチド核酸配列と消光剤とを含む第２のバイオコンジュゲートが複合体と会合した捕獲鎖に対してハイブリッド形成すると）、消光され得る。
【００７８】
上記明細書は説明を目的とした一連の実施例により本発明の原理を教示するものであるが、他方、本開示を一読することにより当業者には本発明の趣旨を逸脱することなく形態および詳細につき様々な変化を行なうことが可能である旨理解されよう。
【図面の簡単な説明】
【００７９】
【図１】ＱＴＬ包含ＤＮＡがＱＴＬ包含ＤＮＡのＤＮＡと相補的な塩基配列を有する標的検体の検出に使用される本発明によるアッセイを示す図である。
【図２Ａ】柔軟な連結鎖を有するＱＴＬバイオコンジュゲートが多価検体の検出に使用される本発明によるアッセイを示す図である。
【図２Ｂ】柔軟な連結鎖を有するＱＴＬバイオコンジュゲートが多価検体の検出に使用される本発明によるアッセイを示す図である。
【図２Ｃ】柔軟な連結鎖を有するＱＴＬバイオコンジュゲートが多価検体の検出に使用される本発明によるアッセイを示す図である。
【図３】本発明による多価抗原ビーズ（ＭＡＢ）の合成を示す図である。
【図４】本発明による蛍光ポリマー標識された不活化標的の合成と使用を示す図である。
【図５】ノイトラビジンとポリマー繰返し単位との混合物が複合化され、こうした生じたポリマー−タンパク質・複合体が次いで静電相互作用によりアンモニウム基で機能化された微小球の表面に配置される、本発明の１実施形態によるセンサ製造の反応スキームを示す図である。
【図６】消光剤標識された標的がセンシング微小球の表面で相補捕獲鎖をめぐって標的と競合する、ＤＮＡ検出のためのアッセイを示す図である。
【図７】さまざまなオリゴヌクレオチドとオリゴヌクレオチド混合物によるＰＰＥ蛍光の消光を示すグラフである。
【図８】ＰＮＡベースの捕獲鎖で負荷された微小球センサによる不整合分析を示すグラフである。
【図１】
2006506643.tif 000020
【図２Ａ】
2006506643.tif 000021
【図２Ｂ】
2006506643.tif 000022
【図２Ｃ】
2006506643.tif 000023
【図３】
2006506643.tif 000024
【図４】
2006506643.tif 000025
【図５】
2006506643.tif 000026
【図６】
2006506643.tif 000027
【図７】
2006506643.tif 000028
【図８】
2006506643.tif 000029
【手続補正書】
【提出日】平成17年8月12日(2005.8.12)
【手続補正１】
【補正対象書類名】明細書
【補正対象項目名】配列表
【補正方法】追加
【補正の内容】
【配列表】
2006506643000001.app
【国際調査報告】
2006506643.tif 000030
2006506643.tif 000031